(57)【特許請求の範囲】
【請求項１】
アライメント光源を用いて眼底カメラと被検眼の位置合わせを行う眼底カメラにおいて、
第１と第２のアライメント光源と、
第１のアライメント光源の角膜反射像を被検眼の前眼部近傍に形成する手段と、
第２のアライメント光源の角膜反射像を被検眼の眼底に形成する手段と、
形成された第１と第２のアライメント光源の角膜反射像を観察する手段とを設け、
第１のアライメント光源の角膜反射像に基づき眼底カメラと被検眼の位置合わせを行った後、第２のアライメント光源の角膜反射像により眼底カメラと被検眼の位置合わせを行い、
前記眼底カメラと被検眼の距離に応じて第１と第２のアライメント光源の点灯並びに消灯を制御することを特徴とする眼底カメラ。
【請求項２】
アライメント光源を用いて眼底カメラと被検眼の位置合わせを行う眼底カメラにおいて、
第１と第２のアライメント光源と、
第１のアライメント光源の角膜反射像を被検眼の前眼部近傍に形成する手段と、
第２のアライメント光源の角膜反射像を被検眼の眼底に形成する手段と、
形成された第１と第２のアライメント光源の角膜反射像を観察する手段とを設け、
第１のアライメント光源の角膜反射像に基づき眼底カメラと被検眼の位置合わせを行った後、第２のアライメント光源の角膜反射像により眼底カメラと被検眼の位置合わせを行い、
前記第１と第２のアライメント光源が点滅制御されることを特徴とする眼底カメラ。
【請求項３】
前記第１と第２のアライメント光源の点滅速度が異なることを特徴とする請求項２に記載の眼底カメラ。
【請求項４】
アライメント光源を用いて眼底カメラと被検眼の位置合わせを行う眼底カメラにおいて、
第１と第２のアライメント光源と、
第１のアライメント光源の角膜反射像を被検眼の前眼部近傍に形成する手段と、
第２のアライメント光源の角膜反射像を被検眼の眼底に形成する手段と、
形成された第１と第２のアライメント光源の角膜反射像を観察する手段とを設け、
第１のアライメント光源の角膜反射像に基づき眼底カメラと被検眼の位置合わせを行った後、第２のアライメント光源の角膜反射像により眼底カメラと被検眼の位置合わせを行い、
前記第１と第２のアライメント光源の形状、色又は配置位置が異なることを特徴とする眼底カメラ。
【請求項５】
アライメント光源を用いて眼底カメラと被検眼の位置合わせを行う眼底カメラにおいて、
第１と第２のアライメント光源と、
第１のアライメント光源の角膜反射像を被検眼の前眼部近傍に形成する手段と、
第２のアライメント光源の角膜反射像を被検眼の眼底に形成する手段と、
形成された第１と第２のアライメント光源の角膜反射像を観察する手段とを設け、
第１のアライメント光源の角膜反射像に基づき眼底カメラと被検眼の位置合わせを行った後、第２のアライメント光源の角膜反射像により眼底カメラと被検眼の位置合わせを行い、
前記第１のアライメント光源を、被検眼前眼部を観察又は撮影するときの光源として使用することを特徴とする眼底カメラ。
【請求項６】
アライメント光源を用いて眼底カメラと被検眼の位置合わせを行う眼底カメラにおいて、
第１と第２のアライメント光源と、
第１のアライメント光源の角膜反射像を被検眼の前眼部近傍に形成する手段と、
第２のアライメント光源の角膜反射像を被検眼の眼底に形成する手段と、
形成された第１と第２のアライメント光源の角膜反射像を観察する手段とを設け、
第１のアライメント光源の角膜反射像に基づき眼底カメラと被検眼の位置合わせを行った後、第２のアライメント光源の角膜反射像により眼底カメラと被検眼の位置合わせを行い、
前記第１のアライメント光源は、一対の光源からなっており、被検眼の前眼部近傍に位置合わせされたとき該一対の光源による２つの角膜反射像が前眼部の中心に対して対称に並ぶように配置されることを特徴とする眼底カメラ。
【請求項７】
前記第１と第２のアライメント光源の一方が点灯しているときは、他方を消灯させることを特徴とする請求項６に記載の眼底カメラ。
【請求項８】
前記第１と第２のアライメント光源が近赤外光を発光する光源であることを特徴とする請求項６又は７に記載の眼底カメラ。
【請求項９】
アライメント光源を用いて眼底カメラと被検眼の位置合わせを行う眼底カメラにおいて、
第１と第２のアライメント光源と、
第１のアライメント光源の角膜反射像を被検眼の前眼部近傍に形成する手段と、
第２のアライメント光源の角膜反射像を被検眼の眼底に形成する手段と、
形成された第１と第２のアライメント光源の角膜反射像を観察する手段とを設け、
第１のアライメント光源の角膜反射像に基づき眼底カメラと被検眼の位置合わせを行った後、第２のアライメント光源の角膜反射像により眼底カメラと被検眼の位置合わせを行い、
前記第２のアライメント光源は、一対の光源からなっており、被検眼の眼底に位置合わせされたとき該一対の光源による２つの角膜反射像が眼底の中心に対して対称に並ぶように配置されることを特徴とする眼底カメラ。
【発明の詳細な説明】
【０００１】
【発明の属する技術分野】
本発明は、眼底カメラ、更に詳細には、被検眼の角膜反射を利用して被検眼に対してアライメントを行なうことができる眼底カメラに関する。
【０００２】
【従来の技術】
眼底カメラを使用する際、眼底の観察ないし撮影を行なうためには、眼底カメラと被検眼の相対位置を調整するアライメント作業が必要である。通常アライメントは、まず被検眼前眼部と眼底力メラの位置合わせを行ない、その後、被検眼眼底と眼底カメラの位置合わせが行なわれる。そのために、先に合わせた被検眼と眼底カメラの眼軸・光軸方向から見た位置関係を維持した状態で被検眼と眼底カメラの間の距離を縮めるために眼底カメラを被検眼の方へ動かすことになる。しかしながら眼底カメラは四方八方自由に動くようになっているので、一方向の位置関係を維持しつつ、他方向の位置を合わす作業はむずかしく眼底カメラを動かしている途中で光軸がずれてしまうことが度々発生し、アライメント作業が効率よく行なえない、という問題があった。
【０００３】
【発明が解決しようとする課題】
本発明は、このような問題点を解決するためになされたもので、簡単な方法で容易にかつ確実にアライメントを行なうことができ、効率的なアライメント作業が可能な眼底カメラを提供することをその課題とする。
【０００４】
【課題を解決するための手段】
本発明では、上記課題を解決するために、アライメント光源を用いて眼底カメラと被検眼の位置合わせを行う眼底カメラにおいて、第１と第２のアライメント光源と、第１のアライメント光源の角膜反射像を被検眼の前眼部近傍に形成する手段と、第２のアライメント光源の角膜反射像を被検眼の眼底に形成する手段と、形成された第１と第２のアライメント光源の角膜反射像を観察する手段とを設け、第１のアライメント光源の角膜反射像に基づき眼底カメラと被検眼の位置合わせを行った後、第２のアライメント光源の角膜反射像により眼底カメラと被検眼の位置合わせを行う。このような構成において、請求項１の発明では、眼底カメラと被検眼の距離に応じて第１と第２のアライメント光源の点灯並びに消灯が制御される。請求項２の発明では、第１と第２のアライメント光源が点滅制御され、請求項３の発明では、請求項２の発明における第１と第２のアライメント光源の点滅速度が異なる。請求項４の発明では、第１と第２のアライメント光源の形状、色又は配置位置が異なる。請求項５の発明では、第１のアライメント光源が、被検眼前眼部を観察又は撮影するときの光源として使用される。請求項６の発明では、第１のアライメント光源は、一対の光源からなっており、被検眼の前眼部近傍に位置合わせされたとき該一対の光源による２つの角膜反射像が前眼部の中心に対して対称に並ぶように配置される。請求項７の発明では、請求項６の発明における第１と第２のアライメント光源の一方が点灯しているときは、他方が消灯される。請求項８の発明では、請求項６又７の発明における第１と第２のアライメント光源が近赤外光を発光する光源となっている。請求項９の発明では、第２のアライメント光源は、一対の光源からなっており、被検眼の眼底に位置合わせされたとき該一対の光源による２つの角膜反射像が眼底の中心に対して対称に並ぶように配置される。
【０００５】
【発明の実施の形態】
以下、図面に示す実施の形態に基づいて本発明を詳細に説明する。
【０００６】
図１には、眼底カメラの概観が図示されており、眼底カメラ本体１０は操作レバー１１とそれに付随の操作リング１１ａの操作により架台１２上を前後左右方向並びに被検者１３に対して上下方向に移動できるように構成されている。更に眼底カメラ本体は、被検眼を中心に水平面内で回動できると共に、軸１０ａを中心に垂直面内でも回動できるようになっていて、額当て１０ｂに額を当て、顎台１０ｃに顎を当てて着座する被検者１３の被検眼１３ａに対して位置合わせ（アライメント）できるようになっている。この位置合わせは、後述するように、まずアライメント光源ＬＥＤ１、２の被検眼１３ａの角膜反射による虚像を検者が観察し、操作レバー１１を操作して眼底カメラ本体１０を被検眼１３ａに対して移動させることにより行われる。
【０００７】
図２には、眼底カメラの光学系の配置が図示されており、観察用光源であるランプＬＡがミラーＭ１の中心に配置され、このランプから発せられた光は、コンデンサーレンズＬ１、可視光をカットし赤外光ないし近赤外光のみを通過させるフィルタＦ、コンデンサーレンズＬ２を経て、全反射ミラーＭ２によって反射され、続いてリレーレンズＬ３、Ｌ４を経て、中心に穴のあいた穴あき全反射ミラーＭ３で反射されてから、対物レンズＬ５を経て被検眼Ｅの瞳Ｅｐより眼底Ｅｒに入射される。
【０００８】
眼底Ｅｒからの反射光は、再び瞳Ｅｐから対物レンズＬ５を介して受光され、穴あき全反射ミラーＭ３の穴を介して合焦レンズＬ６、結像レンズＬ７を通過し、ミラーＭ４に入射する。ミラーＭ４で反射された光は、レンズＬ８を通過してミラーＭ６で反射された後レンズＬ９を介してＣＣＤ上に結像され、その像がモニタＭで観察できるように構成されている。
【０００９】
また、フォーカス検知用の光源ＬＥＤ（発光ダイオード）が設けられ、この光源からの光は、レンズＬ１０、ミラーＭ８、レンズＬ１１を経て穴あき全反射ミラーＭ３と結像レンズＬ６間に配置されたミラーＭ９に入射され、穴あき全反射ミラーＭ３、レンズＬ５を介して眼底Ｅｒに合焦用のスポット像が形成される。
【００１０】
また、眼底像を撮影するために、フィルタＦとレンズＬ２間に撮影用光源であるストロボＳＲが配置される。このとき、３５ｍｍフィルムＦ１上に眼底像を撮影する場合は、ミラーＭ４が光路から外され、眼底像がフィルムＦ１上に導かれる。またポラロイドカメラで撮影する場合には、ミラーＭ６が光路からはずされ、眼底像がポラロイドカメラのフィルムＦ２に導かれる。
【００１１】
また、近赤外光を発生するアライメント光源ＬＥＤ３とＬＥＤ４（発光ダイオード）が設けられ、その光源の像がレンズＬ２０によりオプティカルファイバーＯＦの一端面に結像される。オプティカルファイバーＯＦの他端は、穴あき全反射ミラーＭ３の中心に配置され、その像が対物レンズＬ５を介して被検眼Ｅに投影される。その場合、オプティカルファイバーＯＦの他端の角膜反射像（虚像）が被検眼Ｅの眼底Ｅｒに形成されるような光学系になっている。なお、光源ＬＥＤ３とＬＥＤ４は、図面の紙面に垂直方向に配置されているので、図２では、重なって図示されている。
【００１２】
更に、対物レンズＬ５の外周には、同様に近赤外光を発生するアライメント用の外部照明光源ＬＥＤ１とＬＥＤ２（発光ダイオード）が配置される。これらの光源の前方には被検眼Ｅの前眼部近傍と対向するように配置された絞りＳ１とＳ２が設けられており、絞りＳ１、Ｓ２からでる光源ＬＥＤ１、ＬＥＤ２の光は被検眼の角膜により反射され、その角膜反射像（虚像）が前眼部近傍に形成されるようになっている。なお、光源ＬＥＤ１とＬＥＤ２は、図２では、紙面に平行に図示されているが、通常は、ＬＥＤ３、ＬＥＤ４と同様に紙面に垂直方向に配置され、これが図３（Ａ）に正面から見た図として図示されている。
【００１３】
上述したアライメント用の光源ＬＥＤ１からＬＥＤ４は、図１に図示したように、眼底カメラ本体１０の架台１２に対する移動に応じて点灯、消灯が制御されるようになっている。図１に示した位置では、スイッチＳＷ１がスライダ１４により閉じられ、それによりＬＥＤ１とＬＥＤ２が点灯し、一方、スイッチＳＷ２は開放してＬＥＤ３とＬＥＤ４が消灯する。眼底カメラ本体１０が更に被検眼１３ａに向かって前進すると、スライダ１４も前方に移動してスイッチＳＷ１とＳＷ２の両方が閉じるようになり、それによりＬＥＤ１からＬＥＤ４が点灯し、更に前進すると、スイッチＳＷ１が開放してＬＥＤ１とＬＥＤ２が消灯し、スイッチＳＷ２が閉じてＬＥＤ３とＬＥＤ４が点灯するようになる。しかし、すべてのＬＥＤが消灯することは構造上ないように構成されている。
【００１４】
次にこのように構成された眼底カメラの動作を説明する。
【００１５】
まず、ランプＬＡが点灯しそのランプ光源の光がミラーＭ１、レンズＬ１を介してフィルタＦを通過し、レンズＬ２〜Ｌ５を介して眼底Ｅｒに投射され、眼底Ｅｒが照明される。また、眼底カメラ本体１０は架台１２に対して図１に図示した位置にあるので、スイッチＳＷ１が閉じＬＥＤ１と２が点灯する。このＬＥＤ１と２の光源の像は、角膜反射により虚像となってモニタＭに輝点となって観察される。眼底に比べて位置合わせが容易である前眼部に位置合わせを行うと、ＬＥＤ１と２の角膜反射像が、被検眼１３ａの前眼部近傍に形成されるので、図３（Ｂ）に図示したように、ＬＥＤ１と２の光源の虚像２０ａ、２０ｂが輝点として前眼部中央付近に現れる。
【００１６】
この状態で眼底カメラ本体を更に被検眼１３ａに近づけると、輝点２０ａ、２０ｂがそれぞれ外側に寄っていく状態がモニタＭで観察される（図３（Ｃ））。眼底カメラの近づける方向が光軸と一致していると、左右均等に２つの輝点２０ａ、２０ｂが動いていくので、アライメントの途中で光軸がずれても、どの方向にずれたかが把握しやすく、アライメントの修正が容易になる。
【００１７】
このように、輝点２０ａ、２０ｂが左右均等に移動するように眼底カメラ本体１０を動かせば、対前眼部から対眼底へ正しく眼底カメラ本体を移動できる。眼底カメラ本体をさらに被検眼１３ａに近づけると、これまで見えていた輝点２０ａ、２０ｂはモニタＭの画面から外に出て消えてしまうが、図３（Ｄ）に図示したように、眼底Ｅｒに形成される光源ＬＥＤ３と４の角膜反射像（虚像）が別の輝点２１ａ、２１ｂとなって左右それぞれに現れるようになる。なお、この図３（Ｃ）から（Ｄ）の状態に移行する間、スイッチＳＷ１とＳＷ２の両方が閉じ、ＬＥＤ１から４がすべて点灯するようにしておくものとする。それに対して、図３（Ｄ）から（Ｅ）の方向に移動するときは、スイッチＳＷ２のみが閉じるようにする。
【００１８】
以降は新たに現れた輝点２１ａ、２１ｂを元に眼底カメラの位置合わせを行う。輝点２１ａ、２１ｂが、図３（Ｅ）に図示したように、最も小さくなる点が最良に位置合わせされた状態となる。このようにしてアライメントを完了すると、焦点調節を行ったあとストロボＳＲを点灯し、眼底像を３５ｍｍフィルムＦ１ないしポラロイドカメラフィルムＦ２に撮影する。このとき３５ｍｍフィルムＦ１に撮影する場合は、ミラーＭ４を光路から離脱させ、一方、ポラロイドカメラフィルムＦ２に撮影する場合は、ミラーＭ４を光路に挿入してミラーＭ６を光路から離脱させる。
【００１９】
なお、ＬＥＤ１から４を点灯するとき、これらの光源を所定の周期で点滅させるようにすると、検者が各輝点を識別しやすくなる。このときＬＥＤ１と２の点滅周期をＬＥＤ３とＬＥＤ４の点滅周期と異ならしめると、どのＬＥＤが点灯しているかが識別でき操作性のよいアライメントが可能となる。また各光源の色、形状、配置を異ならしめ、輝点２０ａ、２０ｂの色、形状、配置を輝点２１ａ、２１ｂと異なるようにすることもできる。例えば、輝点２０ａ、２０ｂを赤が多めの色に、輝点２１ａ、２１ｂを赤が少なめの色にしたり、輝点２０ａ、２０ｂの形状を丸に、また輝点２１ａ、２１ｂの形状を四角にしたり、また、輝点２０ａ、２０ｂは、図３（Ｂ）、（Ｃ）に図示した方向に現れ、輝点２１ａ、２１ｂは図３（Ｄ）、（Ｅ）と直角方向に現れたりするようにすることもできる。
【００２０】
また、光源ＬＥＤ１と２を、被検眼前眼部を観察又は撮影するときの光源として使用するようにすることもできる。
【００２１】
【発明の効果】
以上説明したように、本発明では、被検眼の前眼部近傍に形成されるアライメント光源の角膜反射像を目安に、眼底カメラと被検眼の位置合わせを行った後、被検眼の眼底に形成されるアライメント光源の角膜反射像によって、眼底カメラと被検眼の位置合わせが行なわれる。このような構成により、最初は位置合わせが容易な前眼部でアライメントが行われた後、その状態を維持しながら眼底に対して位置合わせを行なうことができるので、容易でかつ確実なアライメントが可能となる。
【図面の簡単な説明】
【図１】本発明の眼底カメラの概観を示す側面図である。
【図２】眼底カメラの光学系の配置を示した配置図である。
【図３】（Ａ）は、対物レンズとアライメント光源の配置を示した配置図、（Ｂ）〜（Ｅ）はアライメント動作中にモニタに現れる画像を示した説明図である。
【符号の説明】
１０  眼底カメラ本体
１１  操作レバー
１２  架台
ＬＥＤ１〜ＬＥＤ４  アライメント光源
【図１】
0004245738.tif 000002
【図２】
0004245738.tif 000003
【図３】
0004245738.tif 000004